(57)【要約】【課題】これまでの釣りは、竿・糸・リール等を手で操ることで行われてきた。しかし、手動での操作のみでは対象となる釣りのターゲット対し、疑似餌や餌等の仕掛けをアピールしたり、生きているように表現する事に限界があった。また、仕掛けをアピールする為に、竿をしゃくったり、リールを巻くことで、本来、目指すはずのタナ（棚）やポイントから仕掛けが離れてしまうこともあった。さらに手動で動かし続けることで、手や腕が疲れてしまったり、子供や初心者、障害を持つ方々には難しい技術でもあった。【解決手段】そこで、電動で直接的に、または間接的に振動を与えることで、簡単に仕掛けにアクションを与え、釣りのターゲットにアピールできる装置を考案した。また、振動を効率良く仕掛けまで伝えるよう工夫したものを提供する。【選択図】図１
2020167988.tif 000002
【特許請求の範囲】
【請求項１】
釣りで使用する、竿・糸・リールのそれぞれの形状、サイズに合わせ、１振動ユニット（本体）と３バッテリーユニットの間に２スイッチ・コントロールユニットを配置し、それぞれを７配線で繋ぐことで、使用者の任意で直接的、間接的に仕掛けを振動出来るよう設計した。
【請求項２】
１振動ユニット（本体）に４振動増幅部と５振動減衰部を設け、振動をロッドティップ側には増幅された振動を伝え、グリップ側にはクッション性のある素材を用いることで振動を抑えるよう工夫した。
【請求項３】
また詳細は、明細書「発明を実施するための形態」に記載、それに準ずることとする。
【発明の詳細な説明】
【技術分野】
【０００１】  本発明は、仕掛けを電動式で直接的、間接的に振動させることで、誘いという動作を簡単に行えるよう設計した。また、その際、振動を効率的に伝えるよう工夫した。
【背景技術】
【０００２】  釣りにおいて、誘いという動作を手動で行うと、目的のタナ（棚）やポイントから離れてしまうという問題があった。
【発明の概要】
【発明が解決しようとする課題】
【０００３】  これまでの技術での釣法は、仕掛けに手動でアクションを与えていたが、目的のタナ（棚）やポイントから離れてしまったり、仕掛けの動きがオーバーになってしまっていた。
【課題を解決しようとする手段】
【０００４】  本発明に係る装置は、図１のように２スイッチ・コントロールユニットを操作することで、これまで手動では出来なかったアクションを簡単に仕掛けに伝えることが出来るようにする。
【発明の効果】
【０００５】  本発明においては、釣りの仕掛けにアクションを与える際、これまで手動で行っていたものを、電動で簡単に操作出来るように工夫したものである。
【図面の簡単な説明】
【０００６】
【図１】実際の使用例
【図２】本発明に係る装置の一実施の形態を示した斜視図である
【図３】振動ユニットとバッテリーユニットを竿内部に配した場合の一実施例
【図４】振動ユニットをガイドと一体配置した場合の一実施例
【図５】振動ユニットを仕掛けの近くの錘内部に直接配置した場合の一実地例
【図６】スイッチ・コントロールユニットの設置の一実施例
【発明を実施するための形態】
これまでの釣りは、竿・糸・リール等を手で操ることで行われてきた。しかし、手動のみの操作では対象となる釣りのターゲットに対し、疑似餌や餌等の仕掛けをアピールしたり、生きているように表現する事に限界があった。また、仕掛けをアピールする為に、竿をしゃくったり、リールを巻くことで、本来、目指すはずのタナ（棚）やポイントから仕掛けが離れてしまうこともあった。さらに手動で動かし続けることで手や腕が疲れてしまったり、子供や初心者、障害を持つ方々には難しい技術でもあった。そこで、電動で直接的に、または間接的に振動を与えることで、簡単に仕掛けにアクションを与え、釣りのターゲットにアピールできる装置を考案した。また、振動を効率良く仕掛けまで伝えるよう工夫した。
なお、この装置は、釣りの対象となる相手が魚だけではなく、イカやタコ、カニ等、他のものも釣ることができるので、対象魚という文言を使用せず、釣りのターゲットという表現を用いる。また、そのターゲットが、様々な種類やサイズに及び、そのターゲットに合わせて装置を成型する形状も、それぞれの部位のサイズや素材、バランスもそれぞれ微妙に変わるので代表的な図面によって、その一部を表現する。
［図１］にあるように、基本的な形状は、釣り竿に１振動ユニット（本体）を設置し、そこから２スイッチ・コントロールユニットと３バッテリーユニットを配線することで、手元で装置のコントロールをしながら仕掛けに振動を与えるよう設計した。また、その振動量をより多くロットティップ（穂先）側に伝える為に４振動増幅部を設け、さらに手元の方には余分な振動が伝わってきにくいよう５振動減衰部で振動を吸収するように工夫した。６本体固定帯は、結束バンド・融着テープ・非粘着テープ・粘着テープ・針金類・クリップ等を使用し１振動ユニット（本体）を竿に固定する。６本体固定帯は専用に作製したクリップ状のものや、本体と一体化し、簡単に固定できようにしたが、ここでは分かりやすく融着テープで固定した場合の一例を現した。なお、配置におけるそれぞれの順路は、必ずしも上記の通りではなく、対象となるターゲットの専用竿等に合わせ、自由に配置できるものとする。またそれぞれの個数や形状も、対象に合わせ自由に配置する。特に２スイッチ・コントロールユニットは、オン・オフスイッチと強弱スイッチを分割し配置する等、より使い勝手の良い形で配置することも出来る。なお電波式にすることで、本体と分割で使用することも出来、より様々なシチュエーションでの使用も可能である。
４振動増幅部と５振動減衰部、６本体固定帯は、必ずしも必要なパーツではなく、使用する竿やリールに合わせ無くてもよい場合は省いたものを使用する。
［図２］は、本発明に係る装置の一実施の形態を示した斜視図である。最も基本的な各ユニットの配置位置を現したものであるが、必ずしもこの配置に限定しない。釣りのターゲットとなる対象の種類や重量、サイズ等により、それに合わせ竿・リールの形状、サイズ・重量・バランス等が変わるからである。様々な釣りのターゲットに合わせ、この装置の各ユニットの形状、サイズ、バランスも変えて作らなければならない為である。全てのユニットを、外付けで配置した場合はこのような形態が一例となる。
［図３］は、振動ユニットとバッテリーユニットを竿内部に配した場合の一実施例である。この装置と竿を一体で成型した場合、このような配置をすることが装置を効率良く機能させやすい。また、それらの各ユニットを内部に配置することで外観上もすっきりさせ、竿を振った際の遠心力による装置の剥落を防ぐことにもなる。さらに、この装置を設置することでの竿の重量加増も、竿の、より軸の部分に重量を置くことができ、特に最も重量のあるバッテリーユニットをグリップエンドに配することで、市販されているグリップエンドウエイト（竿のバランスを保つ為のグリップエンドに内蔵する錘）の役割も果たすという、まさに一石二鳥の効果をもたらすことになる。また近年、極小のモーターが市販されるようになり、それを用いることで細い竿の、より先端部に近い箇所へモーターを設置することが可能になった。
［図２］と［図３］は、この装置をそれぞれ外付けで配置する場合と、内蔵させる場合の図面を分かりやすく表現したが、それぞれの利点がある。［図２］の外付けで配置する場合、既存の竿にアタッチメントのように配置することができ、様々な竿に付け替えて使用することもできる。左右の利き手の都合や、使用者の最も使い勝手の良い位置に配置することが出来る。また［図３］の内蔵させる場合、上記のように、外観上の見栄えもよく、剥落防止と全体的なウエイトバランスを工夫することで、より釣りやすい竿を新たに作ることができる。
竿・リールの形状、サイズ・重量・バランス等により、配線の長さを変えまたは各ユニットの形状を変えることにより、この装置は様々な形状、サイズで実現することになる。
２スイッチ・コントロールユニットは、オン・オフ切り替えだけでなく、振動の強弱、あるいは振動のパターンを変えることで、その場に合った誘いができるようにもする。特にスレたターゲットは、規則的なパターンを嫌って食い渋るというケースも散見されるので、ボタンの切り替えや、レバー操作等をすることで、不規則制のある誘いのパターンを実行出来るようにする。切り替えることで「ブブブ…ブブ…ブ…」「ブブッ…ブブッ…、ブブッ…ブブッ…」「ブーッブ―ッ…ブブ、ブーッブーッ…ブブ」のように、使用者の任意で装置をコントロールし、様々な誘いを表現できるようにする。オン・オフだけの単純なもの、複雑な誘いをするもの、どちらも対象となるターゲットに合わせて作ることになる。また２のスイッチ・コントロールユニットも他のユニットと同様に、図面の位置だけではなく、竿の形状等に合わせ例えばリールのスペースの空いた場所等に配置したり、グリップエンド部周辺でも使いやすい位置に配置し、使用することも出来る。
［図４］の振動ユニットをガイドと一体配置した場合の一実施例のように、この装置を竿のガイドと一体化させることでも、全体の外観を良く見せ、なおかつこの装置を配置することで起こりうるライントラブルを回避することも出来る。また、ガイドと完全に一体化させず、ライン・糸の一部をフック状のもので引掛けることで糸に直接振動を与えるということも出来る。この場合のガイド部やフック状のものの形状も、様々な対象となるターゲットや、それに伴う様々な形の竿に合わせて作ることが出来るものとする。また、この［図４］では、装置を配置するガイドをロッドティップ（穂先）に配置するように現したが、竿のどのガイド部にも設置することが出来る。
［図５］は、ライン・糸に直接振動を与える為に、錘内部に振動ユニットやバッテリーユニットを配置した一実施例である。より仕掛けの近くで振動を発生させることが可能である。この形状も、釣るターゲットにより異なってくる為、限定しない。また、この部分をジグヘッドや、タイラバ等の形状にすることで、より仕掛けと同化させ、釣るターゲットを効果的に誘うことが可能である。これを電波送受信式にすることで、釣りのバリエーションを大幅に増やすことができる。
［図６］は、スイッチ・コントロールユニットの配置の一実施例である。オン・オフと強弱スイッチを分岐させ、より使い勝手の良い配置をした場合の一例である。オン・オフスイッチ、強弱スイッチの配置は、右側でも左側でも、下側でもユニットの表側でも側面でも、竿やリールの形状や利き手に合わせ、どこに配置しても良い。
また［図１］実際の使用例において、図面ではスピニングリールを例に上げ表現したが、この装置はノベ竿・ワカサギ竿・磯竿・ベイトリール・スピンキャストリール等、どのような形状の竿にも実装することが可能である。様々な竿に合わせて装置の各ユニットの配置を変えたり、各ユニットのサイズ・形状を変えること、各パーツの種類・サイズ・形状を変えることで、場面や対象のターゲットに合わせた釣りをすることができる。
図で表したものは、全て実施された場合の一実施例であり、右利き左利きを限定しない。それぞれの利き手に合わせ、その形状や配置を変えて実装出来るものとする。
上記において使用される全ての部位の素材は、金属・樹脂・ゴム・シリコン・スポンジ・プラスチック・各種の粘着テープ・非粘着テープ・結束バンド・配線・コード、鉛錘・タングステン錘、針金、ステンレス針金等は、あらゆる素材を使用して成型することが可能である為、素材を個別に限定しない。また、振動モーターの振動部は、振動させる為の抵抗を用いているが、抵抗を排除したモノでも微振動を伝えることで、さらに繊細な誘いを起こすことが可能である為、振動モーターの形状や、抵抗のサイズや重量等も限定しない。振動のピッチが細かい超音波モーターや、その他のアクチュエーターを使用することも出来る。モーター、バッテリー、配線、スイッチの種類、形状、サイズや重量、素材等も、釣る対象の大きさや状況によって変わる為、限定しない。また、配線を簡略化する為に、スイッチ・コントロールユニットから振動ユニットまで電波を飛ばし操作することも可能である。また、その際は、スイッチ・コントロールユニットを竿等に固定せず、分離し使用することで竿を置き竿にして、遠隔で操作することも可能である。そうすることで、足や腰等に障害を持つ方々も、少し離れた場所に座ったままでも、誘いの操作が出来るようになる。
上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができるものとする。
【符号の説明】
【０００８】１振動ユニット（本体）
２スイッチ・コントロールユニット
３バッテリーユニット
４振動増幅部
５振動減衰部
６本体固定帯
７配線
８ロッドブランクス
９ロッドグリップ
１０リール
１１ガイド
１２ライン・糸
１３ライン・糸を引掛ける針金部
１４錘部
１５フック・針、その他仕掛け
１６オン・オフ等、スイッチ
１７強弱等、スイッチ
【図１】
2020167988.tif 000003
【図２】
2020167988.tif 000004
【図３】
2020167988.tif 000005
【図４】
2020167988.tif 000006
【図５】
2020167988.tif 000007
【図６】
2020167988.tif 000008